(57)【要約】【課題】アクチュエータの脱落を抑制することができる電気コネクタを提供する。【解決手段】アクチュエータ１３は、ＦＰＣ５０の差し込み方向に交差する方向に操作部１３ａが沿った第１の回転位置と差し込み方向に操作部１３ａが沿った第２の回転位置との間でカム回転軸を中心にハウジング１１に対して回動可能に設けられ、ＦＰＣ５０が差込口１５に差し込まれた状態で第１の回転位置から第２の回転位置に回動するとコンタクト１２が電極５１に対して押圧され接触した状態となる。規制部１９は、第１の回転位置から第２の回転位置へのアクチュエータ１３の回転中にカム部がコンタクト１２との係止から離脱しかけたときに、操作部１３ａと当接しＦＰＣ５０の差し込み方向へのアクチュエータ１３移動を規制する。【選択図】図１
2017162702.tif 000002
【特許請求の範囲】
【請求項１】
板状の信号伝達部材を差し込み可能な差込口を有する絶縁性のハウジングと、
前記差込口に差し込まれた前記信号伝達部材に設けられた複数の接触端子にそれぞれ対応して前記ハウジング内に配列された導電性の複数のコンタクトと、
前記コンタクトの配列方向を軸方向とするカム回転軸と、前記カム回転軸に沿って配置され前記コンタクトと係止する複数のカムと、前記カム回転軸から半径方向外側に向かって延びる操作部と、を有し、前記信号伝達部材の差し込み方向に交差する方向に前記操作部が沿った第１の回転位置と前記差し込み方向に前記操作部が沿った第２の回転位置との間で前記カム回転軸を中心に前記ハウジングに対して回動可能に設けられ、前記信号伝達部材が前記差込口に差し込まれた状態で前記第１の回転位置から前記第２の回転位置に回動すると前記カムの駆動により前記コンタクトが前記接触端子に対して押圧され接触した状態となるアクチュエータと、
前記ハウジングに一体に形成されるか前記ハウジングに固定され、前記第１の回転位置から前記第２の回転位置への前記アクチュエータの回転中に前記カムが前記コンタクトとの係止から離脱しかけたときに、前記操作部と当接し前記アクチュエータの前記差し込み方向への移動を規制する規制部材と、
を備える電気コネクタ。
【請求項２】
前記規制部材は、
前記アクチュエータが前記第２の回転位置にあるときに前記半径方向外側を向いた前記操作部の縁部と対向するように設けられ、前記軸方向における両端に設けられた一対の部材を含む、
請求項１に記載の電気コネクタ。
【請求項３】
前記操作部は、
前記軸方向の両端における前記半径方向外側の角部が切り欠かれており、
前記一対の部材は、
前記アクチュエータが前記第２の回転位置にあるときの前記角部が切り欠かれた領域に設けられている、
請求項２に記載の電気コネクタ。
【請求項４】
前記規制部材には、
前記第１の回転位置から前記第２の回転位置への前記アクチュエータの回転の際に前記カムが前記コンタクトとの係止から離脱しかけたときに、前記半径方向外側を向いた前記操作部の縁部に当接し前記回転に伴って前記アクチュエータを前記差し込み方向の逆方向へ案内する傾斜面が設けられている、
請求項１に記載の電気コネクタ。
【請求項５】
前記傾斜面は、
前記アクチュエータが前記第１の回転位置から前記第２の回転位置へ近づくにつれて、前記半径方向外側を向いた前記操作部の縁部と前記傾斜面との隙間が狭くなるように形成されている、
請求項４に記載の電気コネクタ。
【発明の詳細な説明】
【技術分野】
【０００１】
本発明は、電気コネクタに関する。
【背景技術】
【０００２】
特許文献１には、絶縁ハウジングと、絶縁ハウジング内に配列された可撓性のある複数の導電性のコンタクトと、各コンタクトに対応してカムが設けられたカム回転軸を有するアクチュエータと、を備える電気コネクタが開示されている。この電気コネクタでは、絶縁ハウジングには軸受凹部が設けられており、この軸受凹部がカム回転軸の両端（アクチュエータの長手方向の両端）と係合している。また、コンタクトは、一対のビームがその中央付近の連結部により連結された略Ｈ字状を成しており、各カムは、連結部から見て一方に延びるビーム間に挟まれている。絶縁ハウジング内における連結部から見て他方に延びるビーム間にフレキシブル基板が差し込まれた状態で、カム回転軸を中心にアクチュエータを回動させると、カムが回転して、一方に延びるビーム間を広げるとともに他方に延びるビーム間を狭くして、各コンタクトのビーム先端の接触部をフレキシブル基板の各端子にそれぞれ押圧接触させる。
【先行技術文献】
【特許文献】
【０００３】
【特許文献１】特開２００７−５９２１７号公報
【発明の概要】
【発明が解決しようとする課題】
【０００４】
上述のような電気コネクタでは、アクチュエータに生じた撓みに起因する各接触部の接圧ばらつきを抑制するために、一般的に、アクチュエータの長手方向の中央部分においては、一方に延びるビーム間にカムが係止される一方で、その両端部分においては、一方に延びるビーム間にカムが係止されていないか、中央部分における係止状態よりも緩い状態で係止される。よって、アクチュエータを強引に回動させると、アクチュエータの両端のうちの一方が（カム回転軸の両端のうちの一方が）、ビーム間から外れ、更にはアクチュエータが絶縁ハウジングから外れる可能性がある。即ち、上述のような電気コネクタでは、アクチュエータの脱落が起こり得るという問題点がある。
【０００５】
本発明は、上記実情に鑑みてなされたものであり、アクチュエータの脱落を抑制することができる電気コネクタを提供することを目的とする。
【課題を解決するための手段】
【０００６】
上記目的を達成するために、本発明の電気コネクタは、
板状の信号伝達部材を差し込み可能な差込口を有する絶縁性のハウジングと、
前記差込口に差し込まれた前記信号伝達部材に設けられた複数の接触端子にそれぞれ対応して前記ハウジング内に配列された導電性の複数のコンタクトと、
前記コンタクトの配列方向を軸方向とするカム回転軸と、前記カム回転軸に沿って配置され前記コンタクトと係止する複数のカムと、前記カム回転軸から半径方向外側に向かって延びる操作部と、を有し、前記信号伝達部材の差し込み方向に交差する方向に前記操作部が沿った第１の回転位置と前記差し込み方向に前記操作部が沿った第２の回転位置との間で前記カム回転軸を中心に前記ハウジングに対して回動可能に設けられ、前記信号伝達部材が前記差込口に差し込まれた状態で前記第１の回転位置から前記第２の回転位置に回動すると前記カムの駆動により前記コンタクトが前記接触端子に対して押圧され接触した状態となるアクチュエータと、
前記ハウジングに一体に形成されるか前記ハウジングに固定され、前記第１の回転位置から前記第２の回転位置への前記アクチュエータの回転中に前記カムが前記コンタクトとの係止から離脱しかけたときに、前記操作部と当接し前記アクチュエータの前記差し込み方向への移動を規制する規制部材と、
を備える。
【０００７】
前記規制部材は、
前記アクチュエータが前記第２の回転位置にあるときに前記半径方向外側を向いた前記操作部の縁部と対向するように設けられ、前記軸方向における両端に設けられた一対の部材を含む、
こととしてもよい。
【０００８】
前記操作部は、
前記軸方向の両端における前記半径方向外側の角部が切り欠かれており、
前記一対の部材は、
前記アクチュエータが前記第２の回転位置にあるときの前記角部が切り欠かれた領域に設けられている、
こととしてもよい。
【０００９】
前記規制部材には、
前記第１の回転位置から前記第２の回転位置への前記アクチュエータの回転の際に前記カムが前記コンタクトとの係止から離脱しかけたときに、前記半径方向外側を向いた前記操作部の縁部に当接し前記回転に伴って前記アクチュエータを前記差し込み方向の逆方向へ案内する傾斜面が設けられている、
こととしてもよい。
【００１０】
前記傾斜面は、
前記アクチュエータが前記第１の回転位置から前記第２の回転位置へ近づくにつれて、前記半径方向外側を向いた前記操作部の縁部と前記傾斜面との隙間が狭くなるように形成されている、
こととしてもよい。
【発明の効果】
【００１１】
本発明によれば、アクチュエータの回転中にカムがコンタクトとの係止から離脱しかけたときに、操作部と当接する規制部材がアクチュエータの差し込み方向への移動を規制するので、アクチュエータの脱落を抑制することができる。
【図面の簡単な説明】
【００１２】
【図１】本発明の実施の形態１に関する電気コネクタの斜視図である。
【図２】図１の電気コネクタの上面図である。
【図３】図３（Ａ）は、図２のＡ−Ａ断面図である。図３（Ｂ）は、図２のＢ−Ｂ断面図である。図３（Ｃ）は、図２のＣ−Ｃ断面図である。
【図４】信号伝送媒体が挿入された図１の電気コネクタの斜視図である。
【図５】図４の電気コネクタの上面図である。
【図６】図６（Ａ）は、図５のＤ−Ｄ断面図である。図６（Ｂ）は、図５のＥ−Ｅ断面図である。図６（Ｃ）は、図５のＦ−Ｆ断面図である。
【図７】アクチュエータが回動された図１の電気コネクタの斜視図である。
【図８】図７の電気コネクタの上面図である。
【図９】図９（Ａ）は、図８のＧ−Ｇ断面図である。図９（Ｂ）は、図８のＨ−Ｈ断面図である。図９（Ｃ）は、図８のＩ−Ｉ断面図である。
【図１０】アクチュエータが第１の回転位置から第２の回転位置までずれなく回転する場合を示す模式図である。
【図１１】アクチュエータのカム回転軸がずれる場合を示す模式図である。
【図１２】アクチュエータがハウジングに対して傾斜している場合を示す図である。
【図１３】図１２のＪ−Ｊ断面図である。
【図１４】アクチュエータが第２の回転位置に案内される場合を示す模式図である。
【図１５】規制部の斜面とアクチュエータとの関係を示す模式図である。
【図１６】アクチュエータの角部と、規制部との関係を示す模式図である。
【図１７】アクチュエータと規制部の傾斜面との関係を示す模式図である。
【図１８】本発明の実施の形態２に関する電気コネクタの斜視図である。
【図１９】図１８の電気コネクタの上面図である。
【図２０】図１９のＫ−Ｋ断面図である。
【図２１】アクチュエータが回動された図１８の電気コネクタの斜視図である。
【図２２】図２１の電気コネクタの上面図である。
【図２３】図２２のＬ−Ｌ断面図である。
【図２４】操作部が規制部に当接する場合を示す図である。
【発明を実施するための形態】
【００１３】
次に、本発明の実施の形態について、図面を参照して詳細に説明する。
【００１４】
実施の形態１．
まず、本発明の実施の形態１について説明する。
【００１５】
図１〜図３に示すように、本発明の実施の形態１に係る電気コネクタ１０Ａは、後述するアクチュエータ１３を除けば、全体として略直方体であり、その長手方向、短手方向、厚み方向はそれぞれ直交している。各図において、電気コネクタ１０Ａの短手方向をｘ軸方向、長手方向をｙ軸方向、厚み方向をｚ軸方向とする直交座標系（ｘｙｚ座標系）を設定し、この座標系を適宜参照する。また、各軸の矢印方向を＋（プラス）で表し、その反対方向を−（マイナス）で表す。
【００１６】
電気コネクタ１０Ａは、略直方体であるハウジング１１と、ハウジング１１内において長手方向に配列された複数のコンタクト１２と、ハウジング１１の長手方向に延びる回転軸（後述のカム回転軸１３ｂ）を中心に回動可能に設けられたアクチュエータ１３と、ハウジング１１の長手方向の両側端に各々配置されたロック部１４と、を備える。さらに、電気コネクタ１０Ａには、ハウジング１１からの＋ｘ方向へのアクチュエータ１３の脱落を防止する仕組み（ハウジング１１のｙ軸方向両端に設けられた張出部１８及び規制部１９）が、＋ｘ側の長手方向両端に設けられている。
【００１７】
ハウジング１１は、樹脂等の絶縁材から構成され、例えば電子機器等の配線基板に−ｚ側の面を向けて実装される。ハウジング１１の長手方向、短手方向及び厚み方向は、電気コネクタ１０Ａのそれらと一致する。ハウジング１１には、板状の信号伝達部材の一例であるＦＰＣ５０を差し込み可能な差込口１５が−ｘ側の面に形成されており、図４〜図６に示すように、差込口１５からＦＰＣ５０が収容される。
【００１８】
差込口１５に差し込まれるＦＰＣ５０は、その一方面に、配線に接続された複数の接触端子である電極５１を有する。電極５１は、ＦＰＣ５０の一端側に配列されている。電極５１には、第１の電極５１ａ及び第２の電極５１ｂの２種類がある。第１の電極５１ａは、ＦＰＣ５０の＋ｘ側端部の縁に沿って配列されている。第２の電極５１ｂは、第１の電極５１ａよりもＦＰＣ５０の端部から離れて配列されている。第１の電極５１ａと第２の電極５１ｂとは、ｙ軸方向に交互に並んでいる。
【００１９】
電極５１のｙ軸方向の両側には、凹み状の切り欠き部５２及び凸状の突出部５３が形成されている。ＦＰＣ５０が差込口１５に挿入されると、切り欠き部５２又は突出部５３がロック部材１４に係止される。
【００２０】
差込口１５の一方側（−ｚ側）には、差込口１５に差し込まれるＦＰＣ５０の第１の電極５１ａの位置に対応してｘ軸方向に延びる複数の溝１１ａｄ，１１ｂｄが設けられている。また、差込口１５の他方側（＋ｚ側）には、差込口１５に差し込まれるＦＰＣ５０の第２の電極５１ｂの位置に対応してｘ軸方向に延びる複数の溝１１ａｕ、１１ｂｕが設けられている。
【００２１】
また、ハウジング１１の差込口１５の反対には挿入口１６が設けられている。この挿入口１６から、後述の第２のコンタクト１２ｂの挿入と、アクチュエータ１３のカム回転軸１３ｂの挿入が行われる。一対の張出部１８及び規制部１９は、挿入口１６側のハウジング１１の長手方向両端から張り出しており、挿入口１６をその長手方向に挟むように配置されている。
【００２２】
コンタクト１２は、板状の金属等から形成される導電性の部材であって、弾性力を有している。コンタクト１２には、第１のコンタクト１２ａと第２のコンタクト１２ｂの２種類がある。
【００２３】
図３（Ａ）に示すように、第１のコンタクト１２ａは、短手方向に延設された一対のビーム（下ビーム１２ａｄ、上ビーム１２ａｕ）が各ビームの中央付近で接続部１２ａｓに接続されることで略Ｈ字状を成している。下ビーム１２ａｄ、上ビーム１２ａｕは、接続部１２ａｓを境界として、一方側（差込口１５側）の前方下ビーム１２ａｄｆ、前方上ビーム１２ａｕｆと、他方側の後方下ビーム１２ａｄｂ、後方上ビーム１２ａｕｂとに分けられる。下ビーム１２ａｄ、上ビーム１２ａｕは、差込口１５側から溝１１ａｄ，１１ａｕに嵌め込まれる。下ビーム１２ａｄには、係止部１２ａｈ１，１２ａｈ２が設けられ、この係止部１２ａｈ１，１２ａｈ２により、下ビーム１２ａｄがハウジング１１に係止され固定される。これにより、第１のコンタクト１２ａは、ハウジング１１の溝１１ａｄ，１１ａｕに挿入され、差込口１５に差し込まれたＦＰＣ５０の第１の電極５１ａに対応する位置に配置される。
【００２４】
後方下ビーム１２ａｄｂには、凸部１２ａｄｂ＿ｃが設けられ、後方上ビーム１２ａｕｂには、凸部１２ａｕｂ＿ｃが設けられている。後方下ビーム１２ａｄｂ及び後方上ビーム１２ａｕｂは、アクチュエータ１３のカム回転軸１３ｂ（カム部１３ｃ）を狭持しており、凸部１２ａｄｂ＿ｃ，１２ａｕｂ＿ｃは、カム回転軸１３ｂ（カム部１３ｃ）を＋ｘ方向に抜け難くした状態で係止している。また、後方上ビーム１２ａｕｂは、カム部１３ｃの直上位置に設けられたスリット１３ｅに挿通されている。
【００２５】
前方上ビーム１２ａｕｆの差込口１５手前側の端部には、信号接点部１２ａｕｃが設けられている。信号接点部１２ａｕｃはハウジング１１に差し込まれたＦＰＣ５０の第１の電極５１ａに向かって凸状であり、信号接点部１２ａｕｃの一部は、突出した状態でハウジング１１から露出している。また、前方下ビーム１２ａｄｆは、差込口１５手前側の端部に、例えば電子機器等の配線基板の電極にハンダ付けされる基板接続部１２ａ＿ｓｕｂ＿ｃを備える。
【００２６】
図３（Ｂ）に示すように、第２のコンタクト１２ｂは、ハウジング１１の短手方向に縁設された一対のビーム（下ビーム１２ｂｄ、上ビーム１２ｂｕ）が、各ビームの中央付近で接続部１２ｂｓに接続された略Ｈ字状を成している。下ビーム１２ｂｄは、接続部１２ｂｓを境界として、一方側（差込口１５側）の前方下ビーム１２ｂｄｆと、他方側の後方下ビーム１２ｂｄｂとに分けられる。また、上ビーム１２ｂｕは、接続部１２ｂｓを境界として、一方側（差込口１５側）の前方上ビーム１２ｂｕｆと他方側の後方上ビーム１２ｂｕｂとに分けられる。下ビーム１２ｂｄ、上ビーム１２ｂｕは、挿入口１６から溝１１ｂｄ，１１ｂｕに嵌め込まれる。下ビーム１２ｂｄには、係止部１２ｂｈ１，１２ｂｈ２が設けられており、この係止部１２ｂｈ１，１２ｂｈ２により、下ビーム１２ｂｄがハウジング１１に係止され固定される。係止部１２ｂｈ２は、ｙ軸方向に湾曲し、Ｂ−Ｂ線から外れている。これにより、第２のコンタクト１２ｂは、差込口１５に差し込まれたＦＰＣ５０の第２の電極５１ｂに対応する位置に配置される。
【００２７】
後方下ビーム１２ｂｄｂには、凸部１２ｂｄｂ＿ｃが設けられ、後方上ビーム１２ｂｕｂには、凸部１２ｂｕｂ＿ｃが設けられている。後方下ビーム１２ｂｄｂ及び後方上ビーム１２ｂｕｂは、アクチュエータ１３のカム回転軸１３ｂ（カム部１３ｃ）を狭持しており、凸部１２ｂｄｂ＿ｃ，１２ｂｕｂ＿ｃは、カム回転軸１３ｂ（カム部１３ｃ）を＋ｘ方向に抜け難くした状態で係止している。また、後方上ビーム１２ｂｕｂは、カム部１３ｃの直上位置に設けられたスリット１３ｅに挿通されている。
【００２８】
前方上ビーム１２ｂｕｆの差込口１５手前側の端部には、信号接点部１２ｂｕｃが設けられている。信号接点部１２ｂｕｃはハウジング１１に差し込まれたＦＰＣ５０の第２の電極５１ｂに向かって凸状であり、信号接点部１２ｂｕｃの一部は、突出した状態でハウジング１１から露出している。また、前方下ビーム１２ｂｄｆは、差込口１５手前側の端部に、例えば電子機器等の配線基板の電極にハンダ付けされる基板接続部１２ｂ＿ｓｕｂ＿ｃを備える。
【００２９】
アクチュエータ１３は、例えば、図１に示すように、ハウジング１１の差込口１５とは反対側に配置されている。図３（Ａ）及び図３（Ｂ）に示すように、アクチュエータ１３は、第１、第２のコンタクト１２ａ，１２ｂの配列方向を軸方向とするカム回転軸１３ｂと、カム回転軸１３ｂに沿って配置され第１、第２のコンタクト１２ａ，１２ｂと係止する複数のカム部１３ｃと、カム回転軸１３ｂから半径方向外側に向かって延びる操作部１３ａと、を有する。
【００３０】
詳述すると、カム回転軸１３ｂには、第１のコンタクト１２ａ及び第２のコンタクト１２ｂを作動させるカム部１３ｃが一体的に設けられる。カム回転軸１３ｂに直交するカム部１３ｃの断面形状は、異なる曲率で示される複数の曲線と直線とから構成されている。
【００３１】
操作部１３ａは、ハウジング１１の長手方向（ｙ軸方向）に沿って延在する。ＦＰＣ５０の差し込み方向に交差する方向に操作部１３ａが沿った位置（第１の回転位置）から、図３（Ｃ）に示す矢印の方向に操作部１３ａが操作されると、アクチュエータ１３は、カム回転軸１３ｂを中心に回転する。アクチュエータ１３は、ＦＰＣ５０の差し込み方向に操作部１３ａが沿った位置（第２の回転位置）まで回動する。ＦＰＣ５０が差込口１５に差し込まれた状態で第１の回転位置から第２の回転位置に回動すると（図４〜図６に示す位置から図７〜図９に示す位置に回動すると）、カム部１３ｃの駆動により複数の第１のコンタクト１２ａ、第２のコンタクト１２ｂがＦＰＣ５０の第１の電極５１ａ、第２の電極５１ｂに対して押圧され接触した状態となる。
【００３２】
図８に示すように、ハウジング１１の短手方向の一方側（差込口１５側とは逆の＋ｘ側）であって、ハウジング１１の長手方向の両端には、一対の張出部１８及び規制部１９が形成されている。各張出部１８は、挿入口１６側のハウジング１１の長手方向両端から＋ｘ方向に張り出している。それぞれの張出部１８の＋ｘ側の端部に、操作部１３ａに対向するようにｙ軸方向に張り出した規制部１９が設けられている。張出部１８及び規制部１９は、ハウジング１１に一体に形成されている。
【００３３】
規制部１９は、第１の回転位置から第２の回転位置へのアクチュエータ１３の回転中にカム部１３ｃがコンタクト１２との係止から離脱しかけたときに、操作部１３ａと当接し、ＦＰＣ５０の差し込み方向へのアクチュエータ１３の移動を規制する。規制部１９は、図８に示すように、アクチュエータ１３が第２の回転位置にあるときにカム回転軸１３ｂを中心とする半径方向外側を向いた操作部１３ａの縁部１３ａａと対向するように設けられた一対の部材である。規制部１９の、アクチュエータ１３の操作部１３ａの縁部１３ａａに対向する部分には、傾斜面１９ａが設けられている。傾斜面１９ａは、全体として凹曲面となっている。
【００３４】
上述した各部材からなる電気コネクタ１０Ａの接続動作について説明する。ここで、電気コネクタ１０Ａは、基板接続部１２ａ＿ｓｕｂ＿ｃ及び基板接続部１２ｂ＿ｓｕｂ＿ｃがハンダ付けにより配線基板の電極に接続されているものとする。アクチュエータ１３が、ＦＰＣ５０の差し込み方向に交差する方向に操作部１３ａが沿った位置（第１の回転位置）に位置しているとき、カム部１３ｃを挟む各一対のビーム（後方下ビーム１２ａｄｂ及び後方上ビーム１２ａｕｂ、後方下ビーム１２ｂｄｂ及び後方上ビーム１２ｂｕｂ）は、図３（Ａ）及び図３（Ｂ）に示すように、カム部１３ｃの断面の縁上の２点を挟んでいる。このとき、カム部１３ｃは、上述の各一対のビームを押し広げない。
【００３５】
これにより、第１のコンタクト１２ａ、第２のコンタクト１２ｂの前方の一対のビーム（前方下ビーム１２ａｄｆ及び前方上ビーム１２ａｕｆ、前方下ビーム１２ｂｄｆ及び前方上ビーム１２ｂｕｆ）の間隔が、アクチュエータ１３が第２の回転位置に位置しているときよりも広くなっている。
【００３６】
この場合、ＦＰＣ５０に対してコンタクト１２の接触圧力が掛かっていない、あるいは微少に掛かっている状態になるので、図４及び図５に示すように、ハウジング１１の差込口１５にＦＰＣ５０を差し込んで、ＦＰＣ５０をハウジング１１に収容することができる。図６（Ａ）、図６（Ｂ）及び図６（Ｃ）に示すように、ＦＰＣ５０は、差込口１５の奥まで差し込まれる。
【００３７】
第１の回転位置に位置しているアクチュエータ１３が、図６（Ｃ）の矢印に示す方向に回動操作されると、アクチュエータ１３は、ＦＰＣ５０の差し込み方向に操作部１３ａが沿った状態（第２の回転位置）に近づく。アクチュエータ１３が回動操作されている最中、アクチュエータ１３のカム部１３ｃは、カム回転軸１３ｂを中心に回転する。
【００３８】
図７、図８に示すように、アクチュエータ１３が第２の回転位置に達すると、図９（Ａ）、図９（Ｂ）に示すように、後方上ビーム１２ａｕｂ及び後方下ビーム１２ａｄｂ、後方上ビーム１２ｂｕｂ及び後方下ビーム１２ｂｄｂは、カム部１３ｃの断面の縁上の別の２点を挟む。この縁上の２点間の距離は、アクチュエータ１３が第１の回転位置であるときの縁上の２点間の距離よりも長いので、後方上ビーム１２ａｕｂ，１２ｂｕｂが押し広げられる。この押し広げにより、前方上ビーム１２ａｕｆ，１２ｂｕｆが揺動し、信号接点部１２ａｕｃ及び第１の電極５１ａと、信号接点部１２ｂｕｃ及び第２の電極５１ｂとが、接触状態になる（ＦＰＣ５０に対してコンタクト１２の接触圧が掛かった状態となる）。
【００３９】
また、ロック部材１４は、第１、第２のコンタクト１２ａ，１２ｂと同じような構造を有しているので、アクチュエータ１３が第２の回転位置になると、カム部１３ｃの駆動により、切り欠き部５２に係止される。従って、ＦＰＣ５０がハウジング１１に正規の位置に収容された状態になり、ＦＰＣ５０の抜去方向となる−ｘ方向の移動が規制される。これにより、ハウジング１１に対して収容が完了し、ＦＰＣ５０の第１の電極５１ａ及び第２の電極５１ｂと配線基板の各々に対応する電極とが電気的に接続される。
【００４０】
このように、例えば図１０に示すように、アクチュエータ１３がカム回転軸１３ｂを中心に、第１の回転位置θ１から第２の回転位置θ２へずれなく回転した場合には、操作部１３ａが規制部１９の傾斜面１９ａに当接することなく、アクチュエータ１３は、第２の回転位置θ２に到達する。ここで、アクチュエータ１３の回転中に、操作者がアクチュエータ１３を誤って強引に操作したりすると、ハウジング１１の長手方向の中央部分に比べ、両端の方がコンタクト１２によるカム回転軸１３ｂの保持力が弱いため、図１１に示すように、カム回転軸１３ｂの両端におけるいずれか一方が＋ｘ方向にずれ、図１２に示すように、アクチュエータ１３全体がハウジング１１に対して傾いてしまうおそれがある。この場合、図１１〜図１３に示すように、アクチュエータ１３の操作部１３ａは、規制部１９の傾斜面１９ａに当接する。
【００４１】
図１４に示すように、アクチュエータ１３をさらに回動させると、操作部１３ａは、規制部１９からの反作用の力を受けながら傾斜面１９ａを滑り、アクチュエータ１３は、−ｘ方向に戻されつつ、さらには垂直面１９ｂを滑りながら、第２の回転位置θ２に達する。このように、規制部１９の傾斜面１９ａは、第１の回転位置θ１から第２の回転位置θ２へのアクチュエータ１３の回転の際にカム部１３ｃがコンタクト１２との係止から離脱しかけたときに、カム回転軸１３ｂの半径方向外側を向いた操作部１３ａの縁部１３ａａに当接し、回転に伴って、ＦＰＣ５０の差し込み方向の逆方向へアクチュエータ１３を案内する。
【００４２】
傾斜面１９ａは、図１５に示すように、アクチュエータ１３が第１の回転位置θ１から第２の回転位置θ２へ近づくにつれて、操作部１３ａの縁部１３ａａと傾斜面１９ａとの隙間Ｗが次第に狭くなるように形成されている。傾斜面１９ａの傾斜をこのような形状とすることにより、規制部１９が、アクチュエータ１３を−ｘ方向に円滑に案内し易くなる。
【００４３】
また、上述のように、規制部１９は、挿入口１６側のハウジング１１の長手方向の両端に設けられている。これにより、アクチュエータ１３が長手方向の両端の一方から＋ｘ方向に脱落するのを抑制できる。また、規制部１９は、操作部１３ａ全体に当接するのではなく、縁部１３ａａに当接する位置に配置されているので、規制部１９がアクチュエータ１３の操作時に操作の邪魔になることはなく、また、操作部１３ａの長手方向の中央部に操作者の指を誘導する。このため、アクチュエータ１３の操作性が向上する。
【００４４】
また、図１６に示すように、操作部１３ａの形状は、領域ＡＲに示すような長方形状ではなく、カム回転軸１３ｂの軸方向（長手方向）の両端におけるカム回転軸１３ｂの半径方向外側（図１６では＋ｘ側）の角部が切り欠かれた形状となっている。なお、図１６では、切り欠かれた部分で構成される領域ＴＡＲが斜線で示されている。一対の規制部１９は、この領域ＴＡＲに設けられている。このようにすれば、規制部１９を設けるための領域を新たに確保する必要がないので、配線基板における電気コネクタ１０Ａの接地面積が増大するのを抑制することができる。
【００４５】
また、図１７に示すように、傾斜面１９ａは、張出部１８の一部まで延びており、張出部１８まで延びた傾斜面１９ａは、アクチュエータ１３をハウジング１１の長手方向中央に案内するように傾斜している。このようにすれば、アクチュエータ１３のハウジング１１の長手方向のずれも規制することができ、ｘ軸方向のみならずｙ軸方向からも、アクチュエータ１３の脱落を抑制することができる。
【００４６】
以上詳細に説明したように、本実施の形態に係る電気コネクタ１０Ａによれば、アクチュエータ１３の回転中にカム部１３ｃがコンタクト１２との係止から離脱しかけたときに、操作部１３ａと当接する規制部１９が、ＦＰＣ５０の差し込み方向へのアクチュエータ１３の移動を規制するので、アクチュエータ１３の脱落を抑制することができる。
【００４７】
実施の形態２．
次に、本発明の実施の形態２について説明する。
【００４８】
図１８乃至図２４に示すように、本実施の形態に係る電気コネクタ１０Ｂは、一対の張出部１８及び規制部１９に代えて、一対の張出部２８及び規制部２９を備えている。
【００４９】
張出部２８及び規制部２９は、ハウジング１１と一体に形成されている。張出部２８及び規制部２９の設置位置は、張出部１８及び規制部１９と同じである。規制部２９は、ＦＰＣ５０の差し込み方向に交差する方向に操作部１３ａが沿った位置（第１の回転位置；図１８〜図２０）からＦＰＣ５０の差し込み方向に操作部１３ａが沿った位置（第２の回転位置；図２１〜図２３）へのアクチュエータ１３の回転中に、カム回転軸１３ｂ（アクチュエータ１３）がコンタクト１２との係止から離脱しかけたときに、操作部１３ａと当接し、ＦＰＣ５０の差し込み方向へのアクチュエータ１３の移動を規制する。
【００５０】
ハウジング１１の両端部分に設けられた規制部２９には、ホールドダウン２０が固着されている。ホールドダウン２０は、電気コネクタ１０Ｂを配線基板に固定するための金具である。電気コネクタ１０Ｂは、コンタクト１２のハンダ付けにより、配線基板に固定されているが、ホールドダウン２０によって、電気コネクタ１０Ｂを配線基板により強固に固定することができる。
【００５１】
図１８〜図２０に示すように、操作者が操作部１３ａを操作してアクチュエータ１３を第１の回転位置から回動させると、図２１〜図２３に示すように、アクチュエータ１３は、第２の回転位置に移動し、ＦＰＣ５０の差し込み方向に操作部１３ａが沿った状態となる。これにより、第１、第２のコンタクト１２ａ，１２ｂがＦＰＣ５０の第１、第２の電極５１ａ，５１ｂに押圧接触され、ロック部材１４がＦＰＣ５０の切り欠き部５２と係合する。
【００５２】
本実施の形態でも、アクチュエータ１３のカム回転軸１３ｂを中心に回転せず、カム回転軸１３ｂの両端のいずれかが、＋ｘ方向にずれてしまうおそれがある。この場合でも、図２４に示すように、操作部１３ａが規制部２９に当接し、アクチュエータ１３は、反作用の力を規制部２９から受け、最終的に、第２の回転位置まで移動し、ＦＰＣ５０の差し込み方向に操作部１３ａが沿った状態となる。
【００５３】
規制部２９では、規制部１９と異なり傾斜面は設けられてはいない。傾斜面が設けられていなくても、規制部２９は、アクチュエータ１３と当接することにより、アクチュエータ１３のｘ軸方向及びｙ軸方向のずれを規制することができる。これは規制部２９が、ホールドダウン２０により補強されているので、アクチュエータ１３からの＋ｘ方向における力に耐えられることによる。もっとも、規制部２９に、規制部１９と同様の傾斜面を設けるようにしてもよい。
【００５４】
以上詳細に説明したように、本実施の形態によれば、アクチュエータ１３の脱落を抑制する規制部２９にホールドダウン２０を固着する機能を持たせることにより、ホールドダウン２０と係止する新たな部分を設ける必要がなくなるので、部品点数を省略することができるうえ、配線基板への設置面積が大きくなるのを防ぐことができる。
【００５５】
なお、上記実施の形態１では、傾斜面１９ａを凹曲面状としたが、傾斜面１９ａは、凸曲面状であってもよいし、平面状であってもよい。傾斜面１９ａは、アクチュエータ１３を第２の回転位置に円滑に案内する形状であればよい。
【００５６】
なお、上記実施の形態では、規制部１９、２９は、ハウジング１１と一体に形成されていたが、ハウジング１１とは別体でハウジング１１に固定されていてもよい。また、規制部１９、２９は、ホールドダウン２０に規制部を兼用させるようにしてもよい。
【００５７】
また、ロック部材１４は、切り欠き部５２に係止されるものとしたが、切り欠き部５２でなく、突出部５３と係止されるものであってもよい。さらに、上述した実施の形態の電気コネクタ１０Ａ，１０Ｂでは、ロック部材１４を備えていたが、これに限られるものではない。即ち、上述した実施の形態の電気コネクタ１０Ａ，１０Ｂは、ロック部材１４を備えなくてもよい。
【００５８】
また、上述した実施の形態の電気コネクタ１０Ａ，１０Ｂは、ＦＰＣ５０を対象としたが、ＦＦＣ（フレキシブルフラットケーブル）を対象とするものであってもよい。
【００５９】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６０】
本発明は、電子機器又は電気機器の基板に実装される電気コネクタに適用することができる。
【符号の説明】
【００６１】
１０Ａ，１０Ｂ  電気コネクタ、１１  ハウジング、１１ａｄ，１１ａｕ，１１ｂｄ，１１ｂｕ  溝、１２  コンタクト、１２ａ  第１のコンタクト、１２ａｄ  下ビーム、１２ａｕ  上ビーム、１２ａｕｆ  前方上ビーム、１２ａｕｂ  後方上ビーム、１２ａｄｆ  前方下ビーム、１２ａｄｂ  後方下ビーム、１２ａｓ  接続部、１２ａｄｂ＿ｃ，１２ａｕｂ＿ｃ  凸部、１２ａｕｃ  信号接点部、１２ａ＿ｓｕｂ＿ｃ  基板接続部、１２ａｈ１，１２ａｈ２  係止部、１２ｂ  第２のコンタクト、１２ｂｄ  下ビーム、１２ｂｕ  上ビーム、１２ｂｕｆ  前方上ビーム、１２ｂｕｂ  後方上ビーム、１２ｂｄｆ  前方下ビーム、１２ｂｄｂ  後方下ビーム、１２ｂｓ  接続部、１２ｂｄｂ＿ｃ，１２ｂｕｂ＿ｃ  凸部、１２ｂｕｃ  信号接点部、１２ｂｈ１，１２ｂｈ２  係止部、１２ｂ＿ｓｕｂ＿ｃ  基板接続部、１３  アクチュエータ、１３ａ  操作部、１３ａａ  縁部、１３ｂ  カム回転軸、１３ｃ  カム部、１３ｅ  スリット、１４  ロック部材、１５  差込口、１６  挿入口、１８  張出部、１９  規制部、１９ａ  傾斜面、１９ｂ  垂直面、２０  ホールドダウン、２８  張出部、２９  規制部、５０  ＦＰＣ、５１  電極、５１ａ  第１の電極、５１ｂ  第２の電極、５２  切り欠き部、５３  突出部
【図１】
2017162702.tif 000003
【図２】
2017162702.tif 000004
【図３】
2017162702.tif 000005
【図４】
2017162702.tif 000006
【図５】
2017162702.tif 000007
【図６】
2017162702.tif 000008
【図７】
2017162702.tif 000009
【図８】
2017162702.tif 000010
【図９】
2017162702.tif 000011
【図１０】
2017162702.tif 000012
【図１１】
2017162702.tif 000013
【図１２】
2017162702.tif 000014
【図１３】
2017162702.tif 000015
【図１４】
2017162702.tif 000016
【図１５】
2017162702.tif 000017
【図１６】
2017162702.tif 000018
【図１７】
2017162702.tif 000019
【図１８】
2017162702.tif 000020
【図１９】
2017162702.tif 000021
【図２０】
2017162702.tif 000022
【図２１】
2017162702.tif 000023
【図２２】
2017162702.tif 000024
【図２３】
2017162702.tif 000025
【図２４】
2017162702.tif 000026